(57)【要約】【課題】本体外装部に外観を損ねることのない目立たない通気孔を備え且つ音声の記録や再生を行うマイクやスピーカが本体外装部の使いやすい位置に配置されたカメラまたは電子機器を提供する。【解決手段】スピーか１０２のスピーカフレーム１０９背面はクッション１０６と両面粘着シート１１１を介して板状部材９９に密着し、スピーカ振動板１０８はフランジ１０３と硬質スペーサ１０４とスピーカ用防水シート６９と両面粘着テープ１０５によりカメラ内部の空間１１３から遮蔽されているが、フランジ１０３の一部に形成された小さな切り欠き１０７によって、スピーカ振動板１０８を含む空間１１２がカメラ内部の空間１１３と一部分でのみ連通するようにスピーカ用防水シート６９に対して取り付けられている。スピーカ用防水シート６９は水分不通過性で空気通過性であり、カメラ内部の空間１１３とカメラ外部の空間１１４は、スピーカ用防水シート６９、スピーカ振動板１０８を含む空間１１２、及びフランジ１０３の切り欠き１０７を介して空気的に連通する。【選択図】      図４
2005236573.tif 000002
【特許請求の範囲】
【請求項１】
移動レンズを含むレンズ部を備える防水型のカメラにおいて、
カメラ内部を防水化する外装部材と、
前記カメラ内部に配置されるマイクと、
前記外装部材の前記マイクに対応する位置に設けられる音声入力用の第１の開口と、
空気通過水分不通過性を有し前記第１の開口を内部から覆う第１の防水部材と、
を備え、
前記マイクは、マイク振動板を含む空間がカメラ内部の空間と一部分でのみ連通するように前記第１の防水部材に対して取り付けられることを特徴とするカメラ。
【請求項２】
カメラ内部に配置されるスピーカと、
前記外装部材の前記スピーカに対応する位置に設けられる音声出力用の第２の開口と、
空気通過水分不通過性を有し前記第２の開口を内部から覆う第２の防水部材と、
を備え、
前記スピーカは、スピーカ振動板を含む空間がカメラ内部の空間と一部分でのみ連通するように前記第２の防水部材に対して取り付けられることを特徴とする請求項１記載のカメラ。
【請求項３】
前記マイクはカメラの上面に前記スピーカはカメラの背面にそれぞれ配置され、
さらに前記外装部材の前記移動レンズが進退するカメラ前面を保護する部分には、カメラ内部と連通する第３の開口と空気通過水分不通過性を有し当該第３の開口を内部から覆う第３の防水部材が設けられたことを特徴とする請求項２記載のカメラ。
【請求項４】
前記スピーカは電池収納室の近傍に設けられたことを特徴とする請求項２又は３記載のカメラ。
【請求項５】
前記マイクは前記レンズ部とストロボ発光用のストロボコンデンサの間に配置されたことを特徴とする請求項１記載のカメラ。
【請求項６】
前記マイクは、カメラの上面であって電池収納室を形成するフレームの一部に設けられたマイク設置部に配置されることを特徴とする請求項１記載のカメラ。
【請求項７】
移動レンズを含むレンズ部を備える防水型のカメラにおいて、
カメラ内部を防水化する外装部材と、
カメラ内部に配置されるスピーカと、
前記外装部材の前記スピーカに対応する位置に設けられる音声出力用の開口と、
空気通過水分不通過性を有し前記開口を内部から覆う防水部材と、
を備え、
前記スピーカは、スピーカ振動板を含む空間がカメラ内部の空間と一部分でのみ連通するように前記防水部材に対して取り付けられることを特徴とするカメラ。
【請求項８】
前記スピーカはフランジ面と前記防水部材の間にリング状の硬質スペーサを介して取り付けられ、スピーカ振動板の最大高さよりも前記スペーサの分だけ低い位置に周端部が配置されるフランジを備えている、ことを特徴とする請求項７記載のカメラ。
【請求項９】
防水機能を有する電子機器において、
機器内部を防水化する外装部材と、
前記機器内部に配置されるマイクと、
前記外装部材の前記マイクに対応する位置に設けられる音声入力用の第１の開口と、
空気通過水分不通過性を有し前記第１の開口を内部から覆う第１の防水部材と、
を備え、
前記マイクは、マイク振動板を含む空間が機器内部の空間と一部分でのみ連通するように前記第１の防水部材に対して取り付けられることを特徴とする電子機器。
【請求項１０】
防水機能を有する電子機器において、
機器内部を防水化する外装部材と、
機器内部に配置されるスピーカと、
前記外装部材の前記スピーカに対応する位置に設けられる音声出力用の開口と、
空気通過水分不通過性を有し前記開口を内部から覆う防水部材と、
を備え、
前記スピーカは、スピーカ振動板を含む空間が機器内部の空間と一部分でのみ連通するように前記防水部材に対して取り付けられることを特徴とする電子機器。
【請求項１１】
前記スピーカは電池収納室の近傍に設けられたことを特徴とする請求項１０記載の電子機器。
【発明の詳細な説明】
【技術分野】
【０００１】
本発明は、防水構造を有するカメラ又は電子機器に関する。
【背景技術】
【０００２】
従来、ビデオカメラを収納するスポーツパックに嵌着固定されているマイクロホンに、ステレオ効果をもたせ且つ小型化しても、感度を向上させた防水型ステレオマイクロホンが知られている。（例えば、特許文献１参照。）
マイクと言えば、スピーカと言うように、一般にマイクとスピーカは一体に用いられる場合が多いが、上記のマイクと同様に、スピーカに防水を施したものとして、コードレス電話器や携帯電話器を浴室または洗面所等の飛水或いは多湿環境下において使用する際に、水滴または湿気等の侵入を防止し、且つ防水対策に伴う音圧の劣化を少なくした構造の圧電発音体が知られている。（例えば、特許文献２参照。）
防水について言えば、上記のコードレス電話器や携帯電話器に限らず、携帯型の機器であれば、例えば腕時計などは古くから防水構造としたものが知られており、また、カメラなども防水構造にしたものが知られている。
【０００３】
カメラの防水については、元来、防水は、機器内部を外部から封止する構造を採るものであるため、カメラ内部に配置されているレンズを駆動するとき、レンズの移動によってカメラの内部と外部の気圧に差を生じ、この気圧差によってレンズの駆動負荷が大きくなる。この不具合を解消するために、カメラ本体に微小な通気孔を設けたものが知られている。（例えば、特許文献３参照。）
また、レンズ駆動の無い防水型のデジタルカメラの場合でも、内部の電池で発生するガスがカメラ本体内部に充満して電子回路の配線を汚染することなどを防止するため、ガスをカメラ外に逃がすためにカメラ本体に通気孔を設けたものが知られている。（例えば、特許文献４参照。）
【特許文献１】特開平０６−０８６１２４号公報
【特許文献２】特開平０６ー０９８３９７号公報
【特許文献３】特開平０５−１７３２４０号公報
【特許文献４】特開２００１−１１０３７６号公報
【発明の開示】
【発明が解決しようとする課題】
【０００４】
上述したように、防水構造のカメラにおいては、レンズの駆動を円滑に行うために、または電池から発生するガスの排出等のために、本体外装部に通気孔を備えなければならない。さらに、音声の記録や再生のためのマイクやスピーカは、本体外装部の使いやすい位置に配置されなければならない。
【０００５】
本発明の課題は、上記の２つの要件を両立させる構造を有するカメラまたは電子機器を提供することである。
【課題を解決するための手段】
【０００６】
先ず、第１の発明のカメラは、移動レンズを含むレンズ部を備える防水型のカメラにおいて、カメラ内部を防水化する外装部材と、上記カメラ内部に配置されるマイクと、上記外装部材の上記マイクに対応する位置に設けられる音声入力用の第１の開口と、空気通過水分不通過性を有し上記第１の開口を内部から覆う第１の防水部材と、を備え、上記マイクは、マイク振動板を含む空間がカメラ内部の空間と一部分でのみ連通するように上記第１の防水部材に対して取り付けられるように構成される。
【０００７】
このカメラは、例えば、カメラ内部に配置されるスピーカと、上記外装部材の上記スピーカに対応する位置に設けられる音声出力用の第２の開口と、空気通過水分不通過性を有し上記第２の開口を内部から覆う第２の防水部材と、を備え、上記スピーカは、スピーカ振動板を含む空間がカメラ内部の空間と一部分でのみ連通するように上記第２の防水部材に対して取り付けられるように構成される。
【０００８】
そして、例えば、上記マイクはカメラの上面に、上記スピーカはカメラの背面に、それぞれ配置され、さらに上記外装部材の上記移動レンズが進退するカメラ前面を保護する部分には、カメラ内部と連通する第３の開口と空気通過水分不通過性を有し当該第３の開口を内部から覆う第３の防水部材が設けられて構成される。
【０００９】
上記スピーカは、例えば、電池収納室の近傍に設けられるように構成されるのが好ましく、また、上記マイクは、例えば、上記レンズ部とストロボ発光用のストロボコンデンサの間に配置されるように構成するのが好ましい。また、上記マイクは、例えば、カメラの上面であって電池収納室を形成するフレームの一部に設けられたマイク設置部に配置されるように構成してもよい。
【００１０】
次に、第２の発明のカメラは、移動レンズを含むレンズ部を備える防水型のカメラにおいて、カメラ内部を防水化する外装部材と、カメラ内部に配置されるスピーカと、上記外装部材の上記スピーカに対応する位置に設けられる音声出力用の開口と、空気通過水分不通過性を有し上記開口を内部から覆う防水部材と、を備え、上記スピーカは、スピーカ振動板を含む空間がカメラ内部の空間と一部分でのみ連通するように上記防水部材に対して取り付けられて構成される。
【００１１】
このカメラにおいては、例えば、上記スピーカは、フランジ面と上記防水部材の間にリング状の硬質スペーサを介して取り付けられ、スピーカ振動板の最大高さよりも上記スペーサの分だけ低い位置に周端部が配置されるフランジを備えて構成される。
更に、第３の発明の電子機器は、防水機能を有する電子機器おいて、機器内部を防水化する外装部材と、上記機器内部に配置されるマイクと、上記外装部材の上記マイクに対応する位置に設けられる音声入力用の第１の開口と、空気通過水分不通過性を有し上記第１の開口を内部から覆う第１の防水部材と、を備え、上記マイクは、マイク振動板を含む空間が機器内部の空間と一部分でのみ連通するように上記第１の防水部材に対して取り付けられて構成される。
【００１２】
また、第４の発明の電子機器は、防水機能を有する電子機器おいて、機器内部を防水化する外装部材と、機器内部に配置されるスピーカと、上記外装部材の上記スピーカに対応する位置に設けられる音声出力用の開口と、空気通過水分不通過性を有し上記開口を内部から覆う防水部材と、を備え、上記スピーカは、スピーカ振動板を含む空間が機器内部の空間と一部分でのみ連通するように上記防水部材に対して取り付けられて構成される。
【００１３】
上記の電子機器において、上記スピーカは、例えば、電池収納室の近傍に設けられるのが好ましい。
【発明の効果】
【００１４】
本発明によれば、マイクやスピーカの振動板空間の一部分にだけ外部空間との連通部を設けるので、マイクやスピーカの感度や出力を低下させることなく、それらの外部空間との連通部を全体の通気孔として利用でき、これにより、カメラの外観性が向上する。
【発明を実施するための最良の形態】
【００１５】
以下、本発明の実施の形態を図面を参照しながら説明する。尚、以下の説明において上記第１の開口は、例えばマイク用開口部３７、６６等から成り、上記第１の防水部材は、例えばマイク開口部用防水シート３８等から成り、上記第２の開口は、例えばスピーカ用開口部１７等から成り、上記第２の防水部材は、例えば、スピーカ用防水シート６９等から成り、上記移動レンズは、例えば撮影レンズ５、撮影レンズ鏡筒４等から成り、上記第３の開口は、例えば前面部開口２４等から成り、そして、上記第３の防水部材は、例えば前面部開口用防水シート３１等から成る。
【実施例１】
【００１６】
図１(a) は、第１の実施の形態におけるデジタルカメラを前面から見た外観斜視図であり、同図(b) は、その背面から見た外観斜視図である。なお、本例のデジタルカメラ１の配置図の説明において、カメラの幅方向である図の両方向矢印Ｘで示す左右方向は、カメラの被写体側から見た左右方向を示している。また、レンズの撮影光軸Ｏに沿う図の両方向矢印Ｚで示すカメラの前後方向は、被写体側を前方、反被写体側を後方または背面側として示し、また、図の両方向矢印Ｙで示す上下方向は、カメラを通常の状態で手に持ったときの上下方向を示している。
【００１７】
同図(a),(b) に示すように、本例のデジタルカメラ１は、前カバーユニット２ａ、中カバーユニット２ｂ、及び後カバーユニット２ｃからなる主外装部２、並びに中カバーユニット２ｂに続く左側面部のコネクタ蓋３ａ及び底面部に配置された電池蓋３ｂからなる副外装部で、全体が覆われている。
【００１８】
上記前カバーユニット２ａの前面開口部には、前後に進退可能な撮影レンズ鏡筒４が配置されている。撮影レンズ鏡筒４には撮影レンズ５が保持されており、撮影レンズ５の前面には、レンズバリア６が、前カバーユニット２ａの上下に設けられたスライド溝７ａ及び７ｂ（スライド溝７ｂは図では陰になって見えない）を介して前カバーユニット２ａに上下から外嵌して前面部を左右方向に滑動自在に取り付けられている。このレンズバリア６は、撮影レンズ５が後退位置にあるときに前面開口部を開閉する。
【００１９】
上記中カバーユニット２ｂの上面部には、レリーズスイッチ操作釦８とマイク開口部９が配置されている。また、後カバーユニット２ｃの背面部には、ファインダ接眼窓部１１とＬＣＤ表示窓部１２が形成されており、十字操作ボタン１３、ズームボタン１４、液晶モニタ／再生ボタン１５、ＯＫ／メニューボタン１６が配置されている。また、スピーカ用開口部１７が形成されており、このスピーカ用開口部１７の背部には後述するスピーカが配置されている。また、後カバーユニット２ｃの左側面部にはストラップ取付部１８が設けられている。
【００２０】
上記のように、本例のカメラは、マイクが、マイク開口部９に示すように本体外装部の上面に配置されているので、カメラ使用者の説明音声を容易に入力することができると共に、カメラ前方にマイクを遮る構成がないので撮影方向からの被撮影者の音声も容易に拾うことができる使い易い位置にマイクが配置されている。
【００２１】
また、本例のカメラは、スピーカが、スピーカ用開口部１７に示すように本体外装部のカメラ使用者側を向く背面に配置されているので、カメラ使用者が再生音声を容易に聞き取ることができる位置にスピーカが配置されている。
図２は、デジタルカメラ１の概略の内部構成を前方から見た分解斜視図である。同図に示すように、デジタルカメラ１は、上述した主外装部２の前カバーユニット２ａ、中カバーユニット２ｂ、後カバーユニット２ｃ、副外装部のコネクタ蓋３ａ（図示省略）、電池蓋３ｂ（図示省略）と、これらの外装内に組み込まれる主な構成部材として、鏡筒組立ユニット２０、基板中枠ユニット２１が備えられている。
【００２２】
前カバーユニット２ａは、例えばアルミニウム等の金属製薄板からなる前カバー板２２の右端部に撮影レンズ用開口部２３、ほぼ中央部に網目状の前面部開口２４、中央上方部にストロボ発光窓２５と、ファインダ窓２６が横に並んで設けられ、そのすぐ下方にセルフタイマＬＥＤ窓２７が配置され、最下部にはリモートコントロール用窓２８が配置されている。
【００２３】
この前カバーユニット２ａの前カバー板２２の上下には左右方向に延びる前述したスライド溝７ａ、７ｂ（図２の場合もスライド溝７ｂは図では陰になって見えない）が形成されている。上記のスライド溝７ａ、７ｂには、前述したレンズバリア６が図２の一点鎖線矢印２９ａ、２９ｂで示すように、滑動自在に嵌入して取り付けられる。上記レンズバリア６は、撮影レンズ用開口部２３やストロボ発光窓２５等を閉鎖する閉位置（右方位置）と開放する開位置（左方位置）にスライド操作が可能である。
【００２４】
また、前カバーユニット２ａにおいて、上記の網目状の前面部開口２４には、前面部開口用防水シート３１が図の破線矢印３２で示すように前カバー板２２の裏側から貼り付けられる。この前面部開口用防水シート３１は、空気通過水分不通過性を有している。前面部開口２４は、レンズバリア６の開閉いずれの位置においてもレンズバリア６で遮蔽されているので、直接外観から目視はされない。また、ストロボ発光窓２５には、ストロボ発光管３３を内蔵するストロボ発光ユニット３４が前カバー板２２の裏側から取り付けられる。また、ファインダ窓２６には、このファインダ窓２６とファインダ接眼窓部１１との間に、ファインダ光学系を内蔵するファインダユニット３５が配置される。
【００２５】
この前カバーユニット２ａの前カバー板２２の上部には、前カバー板２２の内部に接着固定される合成樹脂製の組み付け用の前カバー枠３６が左端部からストロボ発光窓２５の上方位置まで延在して配置されている。この前カバー枠３６の、ストロボ発光窓２５の上方に位置する端部に、マイク用開口部３７が形成されている。このマイク用開口部３７には、マイク開口部用防水シート３８が上から貼り付けられる。このマイク開口部用防水シート３８も空気通過水分不通過性を有している。
【００２６】
続いて、上記撮影レンズ用開口部２３の内部に配置される鏡筒部組立ユニット２０は、前述した撮影レンズ鏡筒４が、外周に防水用パッキン３９が装着された固定枠４０に移動枠４１を介して取り付けられている。撮影レンズ鏡筒４は、固定枠４０により光軸Ｏ方向に進退移動可能に支持され、撮影レンズ５を保持している。
【００２７】
固定枠４０には、前方下部にモータ４２が配置され、側部にはモータ４２によって駆動され上記の移動枠４１を光軸Ｏ方向に進退移動させるレンズ駆動部４３が配置されている。固定枠４０の後部には、撮影レンズ鏡筒４内部の撮影レンズ５の結像面に位置するＣＣＤ基板４４を搭載された撮像素子基板４５と、その更に背後に配置されたユニット取り付け板４６とから成るＬＣＤ表示ユニット４７が組み付けられて、全体がユニット化されている。
【００２８】
また、上記のＬＣＤ表示ユニット４７には、フレキシブルプリント基板４８を介して撮像用基板４９が接続されている。この撮像用基板４９は、後述する第２電装基板５２に接続されている。
前述の基板中枠ユニット２１は、中枠５０と、この中枠５０の側面開口部の反対側面に密着して配置される第１電装基板５１と、この第１電装基板５１と平行配置された第２電装基板５２及び第１電装基板５１の外側に配置された第３電装基板５３を備えている。
【００２９】
上記の中枠５０は、第１電装基板５１によって覆われている内部に電源用電池５４が収納される電池室５５が形成されている。電池室５５には図１に示した電池蓋３ｂを開いた開口部から電源用電池５４が挿入される。また、中枠５０には電池室５５に隣接して、ストロボ発光のための電荷チャージ用のストロボコンデンサ５６と、撮像用基板４９の不図示の接続コネクタを第１電装基板５１に接続するための内部接続コネクタ５７が備えられている。
【００３０】
上記の第１電装基板５１は、電池室前側基板としてのメイン制御基板であって、画像処理回路や各種の制御回路部が実装されている。そして、第１電装基板５１と第２電装基板５２の間には、図１のコネクタ蓋３ａを開いた開口部に、メモリカード（記録媒体）挿入用のカードスロット５８、ビデオ出力コネクタ端子部５９、及びＵＳＢコネクタ端子部６１が配置されている。これら各部は第１電装基板５１に搭載されている。
【００３１】
上記のカードスロット５８、ビデオ出力コネクタ端子部５９、及びＵＳＢコネクタ端子部６１は、図の左側面において外部に開放されているが、全体が組み立て上がり後には、内部周囲にパッキン付きの図１(a) に示したコネクタ蓋３ａによって覆われて外部から封止される。
【００３２】
また、第２電装基板５２は、主に電源回路部が実装されている。そして、第３電装基板５３には、主にストロボ制御回路部や上記のストロボコンデンサ５６が実装されており、更に下部から右方に延び出す突出部が形成されている。この突出部の端部にＤＣコネクタ端子６８が実装されており、ビスにより後カバーユニット２ｃにねじ止めするためのビス孔が設けられている。
【００３３】
また、上記の中枠５０上面部は、本体装置内部中央に延び出して形成され、その延び出した端部に、マイク保持孔６２が形成されており、このマイク保持孔６２にはマイク６３の下部係合部が嵌入して保持される。
これにより、全体が組み立て上がったとき、マイク６３は、ガスを発生しやすい種類の電池も装填される電池室５５や、いずれも動作時に発熱を伴うレンズ部（鏡筒部組立ユニット２０）とストロボ発光用のストロボコンデンサ５６の間に配置される。ただし、このマイク６３は、鏡筒部組立ユニット２０に近接して配置されてはいるが、鏡筒部組立ユニット２０とは独立構成の中枠５０のマイク設置部５０ｃに保持されるので、レンズ移動の際の鏡枠の振動を拾いにくいように構成されている。
【００３４】
前カバーユニット２ａと後カバーユニット２ｃとの間にあって上述した各部の中央部分の上部及び右側面を覆う中カバーユニット２ｂは、例えばアルミニウム等の金属製薄板からなる中カバー板６４を備え、この中カバー板６４の上面にレリーズ釦用開口部６５とマイク用開口部６６が形成され、右側面下端部近傍にＤＣ端子用切り欠き部６７が形成されている。レリーズ釦用開口部６５には、図１に示したレリーズスイッチ操作釦８が一点鎖線で示すように下方から挿入される。
【００３５】
最後に、後カバーユニット２ｃは、例えばアルミニウム等の金属製薄板からなる後カバー板７１と、この後カバー板７１の内部に接着固定される合成樹脂製の組み付け用の後カバー枠７２とを備えている。
上記後カバー板７１の内側面には、図１にも示したファインダ接眼窓部１１とＬＣＤ窓部１２が図の右方に配置され、図の左方下にスピーカ用防水シート６９が配設されている。更に中央部には、例えば合成ゴム等からなる所定の凹凸形状に成形された板状の弾性部材７３が配置され、この弾性部材７３と後カバー板７１との間に、詳しくは後述するが、図１にも示した十字操作ボタン１３が配置される。
【００３６】
上記の弾性部材７３には背面（内部を向く面）中央に十字操作ボタン押圧用の凸部７３ａが形成され、上方から左方に細長く延び出す部分の根元の上部には、後述するマイクリード線半田付け部との圧接を回避するための凹部７３ｂが形成されている。また、上記の後カバー枠７２には、図の右方下部にＤＣコネクタ端子用開口部７４と、底面部には開閉可能な図１に示した電池蓋３ｂを有する電池挿入用開口部７５が設けられている。上記のＤＣコネクタ端子用開口部７４に対応して、前述した中カバーユニット２ｂの中カバー板６４の下端部近傍には、ＤＣコネクタ端子用の切り欠き部７６が形成されている。
【００３７】
上記前カバー枠３６と、後カバー枠７２とは、特には図示しないが、防水用封止部材を介装し、ビス孔に挿通されたビスとの螺合により結合されて、上記前カバー板２２、中カバー板６４、後カバー板７１により、本デジタルカメラ１の外装が形成される。
図３は、デジタルカメラ１の一部内部構成を後方から見た分解斜視図である。尚、同図には、図２に示した、前カバーユニット２ａ、鏡筒部組立ユニット２０、第１〜第３電装基板５１〜５３、中カバーユニット２ｂ等の図示を省略している。
【００３８】
図３に示すように、後カバーユニット２ｃの例えばアルミニウム等の金属製薄板からなる後カバー板７７には、図１(b) に示したファインダ接眼窓部１１用のファインダ用開口７８とＬＣＤ表示窓部１２用のＬＣＤ用開口７９が形成されている。これらの開口部にファインダ接眼窓部材やＬＣＤ表示窓部材が取り付けられるに際しては、それら部材の取り付け周囲に沿って、封止用接着剤が隙間無く盛り付けられて、外部からの水分や湿気の進入が防止される。
【００３９】
更に後カバー板７７には、これも図１(b) に示した十字操作ボタン１３用の４つの十字ボタン用開口８１、液晶モニタ／再生ボタン１５用のモニタ／再生用開口８２、ＯＫ／メニューボタン１６用のＯＫ／メニュー用開口８３、スピーカ用開口部１７、電池蓋３ｂ用の切り欠き部８４が形成されており、右上には、ズームボタン１４用のズーム用開口８５が形成され、このズーム用開口８５には中央に支柱８６が備えられている。
【００４０】
ズームボタン１４は、一点鎖線８７で示すように、左端部を横に捻りながら支柱８６で仕切られた右側の開口８５ａに後方から挿通することにより、係合部１４ａが支柱８６に係合して、支柱８６を支点にシーソー状に回動するように配置される。
上記各ボタン用の開口には、図１(b) に示した各ボタンが後方から嵌め込まれ、この後方に接着配置された弾性部材７３によって位置固定される。
【００４１】
特に十字操作ボタン１３は、その中央に位置決め用孔１３ａを形成されている。そして、この位置決め用孔１３ａに対応して、一方では、後カバー板７７の４つの十字ボタン用開口８１の中央部に、表から見ると凹部に見える裏側凸部７７ａが形成され、他方では、弾性部材７３の十字ボタン支持部の中央に突起部７３ａが形成されている。
【００４２】
これにより、十字操作ボタン１３の位置決め用孔１３ａには、前からは後カバー板７７の裏側凸部７７ａが嵌入し、後からは弾性部材７３の突起部７３ａが嵌入して、十字操作ボタン１３が位置決めされる。
弾性部材７３を上記のように接着配置するのとは別に、封止用接着材が弾性部材７３の周辺に沿って隙間無く盛り付けられる。これにより、各操作ボタンとボタン孔との隙間から進入する水分や湿気がカメラ内部まで侵入することが防止される。
【００４３】
この弾性部材７３の背後に密着してフレキシブル基板８８が配設される。フレキシブル基板８８の弾性部材７３との密着面には、ズームボタン１４に対応する２つのズーム用スイッチ８９、十字操作ボタン１３に対応する４つの十字用スイッチ９１、液晶モニタ／再生ボタン１５に対応するモニタ／再生用スイッチ９２、ＯＫ／メニューボタン１６に対応するＯＫ／メニュー用スイッチ９３、レリーズスイッチ操作釦８（図(a),(b) 参照）に対応するレリーズスイッチ９４が配設されている。
【００４４】
また、このフレキシブル基板８８には、図の右下部分にスピーカ配置用の切り欠き部９５が形成され、左上部から更に左に細長く延び出すファインダ横ＬＥＤ用の配線部９６が形成されている。
この、配線部９６の延び出部の根元近傍に、マイク６３の２本のリード線９７の終端部が半田付けされる２つの端子９８が配設されている。前述の弾性部材７３の凹部７３ｂ（図２も参照）は、弾性部材７３のフレキシブル基板８８との密着面による上記２つの端子９８の半田付け部分への圧接を回避するために設けられている。
【００４５】
上記フレキシブル基板８８の弾性部材７３との密着面の反対側面には、板状部材９９が密着して配置される。更に、この板状部材９９は、中枠５０の側面開口部の縁面５０ａに接着されて、中枠５０と板状部材９９とによる図２にも示した電池室５５を形成する。電池室５５の下方の開放部は、周囲にパッキンを備えた図１(b) に示した電池蓋３ｂによって外部から封止される。この封止される電池室５５に装填された電池により発生するガス抜きのために、中枠５０の側面には複数の通気孔５０ｂが穿設されている。
【００４６】
また、上記電池室５５を形成する中枠５０には、その上部フレームを更に図の左方に延び出して形成されたマイク設置部５０ｃの先端部にはマイク保持孔６２が形成されている。このマイク保持孔６２にマイク６３が嵌入して保持され、前述したようにマイク６３から引き出された２本のリード線９７が、その終端部を２つの端子９８にそれぞれ半田付けされる。
【００４７】
また、マイク６３は、その上面取り付け部にフランジ１００を備えている。このフランジ１００は完全な円環ではなく、一部に小さな切り欠き１０１が形成されているが、これについては後述する。なお、図３では、マイク６３の形状を明確にするために、マイク６３の形状のみを相対的に大きく記載している。
【００４８】
他方、フレキシブル基板８８のスピーカ配置用の切り欠き部９５には、スピーカ１０２が配置される。スピーカ１０２の前面（振動板の放音方向、図の左方）には、振動版の周囲を取り囲むフランジ１０３が設けられ、このフランジ１０３のフランジ面１０３ａに密着する例えばＰＥＴ等から成るリング状の硬質スペーサ１０４と、この硬質スペーサ１０４に重なって周囲が密着するスピーカ用防水シート６９と、このスピーカ用防水シート６９の上記硬質スペーサ１０４との密着面の反対側周囲に貼着された両面粘着テープ１０５が配置される。そして、スピーカ１０２の背面（図の右方）には、クッション１０６と後述する両面粘着シートを備えている。スピーカ用防水シート６９は、後カバー板７１の内面に両面粘着テープ１０５によって貼着される。
【００４９】
尚、上記のフランジ１０３は、これも完全な円環ではなく、一部に小さな切り欠き１０７が形成されているが、これについては後述する。
図４は、上記スピーカ１０２及びそのスピーカ取り付け部の構成を示す図であり、図１(b) のＡ−Ａ´断面矢視図を示している。尚、図４には、図１〜図３に示した構成と同一の構成部分には、図１〜図３と同一の番号を付与して示している。
【００５０】
図４に示すように、スピーカ１０２は、スピーカ振動板１０８と、このスピーカ振動板１０８を保持するスピーカフレーム１０９を備えている。スピーカフレーム１０９の円周部は直角に立設するフランジ１０３が一体に形成されている。フランジ１０３のフランジ面１０３ａ（図３も参照）は、硬質スペーサ１０４を介して、スピーカ用防水シート６９の裏面周囲に圧接している。スピーカフレーム１０９の背面はクッション１０６を介し両面粘着シート１１１により板状部材９９の面に密着している。
【００５１】
これによりスピーカ部全体が、後カバー板７７と板状部材９９とに挟まれた状態で保持されて位置固定されている。プレス加工で製造されたスピーカフレーム１０９のフランジ１０３の一部にバリがあっても、硬質スペーサ１０４を介してスピーカ用防水シート６９に圧接されるので、バリによるスピーカ防水シート６９の破損が防止できる。また、この配置により、スピーカ１０２は、中枠５０と板状部材９９とで構成されている電池室５５の近傍に配置された状態となる。
【００５２】
上記スピーカ１０２のフランジ１０３の周端部の面、つまりフランジ面１０３ａは、硬質スペーサ１０４が配置されないときにはスピーカ振動板１０８の最大高さよりも高い位置に配置されなければならないが、本例では、硬質スペーサ１０４が配設されていることにより、フランジ面１０３ａは、スピーカ振動板１０８の最大高さに対して、高さｈだけ低い位置に配置される。このように、僅かでも全体構成が薄くなるように配慮されている。
【００５３】
また、通常の構成では、このような配置のスピーカ１０２において、スピーカ振動板１０８を含む空間１１２は、スピーカフレーム１０９、フランジ１０３、及び硬質スペーサ１０４により密閉されて、本来はカメラ内部の空間１１３とは独立した構成となるが、本例では、フランジ１０３には一部に小さな切り欠き１０７が形成されている。これにより、スピーカ１０２は、スピーカ振動板１０８を含む空間１１２がカメラ内部の空間１１３と一部分でのみ連通するように、防水部材としてのスピーカ用防水シート６９に対して取り付けられている。
【００５４】
そして、スピーカ用防水シート６９が水分不通過性ではあるが空気通過性であることにより、カメラ内部の空間１１３とカメラ外部の空間１１４は、スピーカ用防水シート６９、スピーカ振動板１０８を含む空間１１２、及びフランジ１０３の切り欠き１０７を介して空気的に連通する。
【００５５】
これにより、カメラ内部の空間１１３の空気圧が高まったときには、カメラ内部の空気がフランジ１０３の切り欠き１０７、スピーカ振動板１０８を含む空間１１２、及びスピーカ用防水シート６９を介してカメラ外部の空間１１４に流出し、カメラ内部の空間１１３の空気圧が低下したときには、カメラ外部の空気がスピーカ用防水シート６９、スピーカ振動板１０８を含む空間１１２、及びフランジ１０３の切り欠き１０７を介してカメラ内部の空間１１３に流入して、常に内外の気圧差が平衡するように維持される。あるいは電池などからカメラ内部に発生したガスを外部に排出することができる。
【００５６】
図５は、上述したマイク６３とそのマイク取り付け部の構成を示す図である。尚、図５には、図１〜図３に示した構成と同一の構成部分には、図１〜図３と同一の番号を付与してい示している。
図５に示すように、マイク６３は、マイク振動板１１５とマイク本体１１６からなり、ゴム性部材からなる円筒状の保護材１１７に本体周面を保護されて、マイク保持孔６２に保持されている。円筒状の保護材１１７の上部には、保護材１１７と一体なワッシャ状の水平フランジ１１８と、この水平フランジ１１８の内径から一体に立設する円環状の垂直フランジ１１９からなる図３にも示したフランジ１００が形成されている。この垂直フランジ１１９の円周面は前カバー枠３６のマイク用開口部３７の周囲下面に圧接している。
【００５７】
このように、前カバー枠３６のマイク用開口部３７は、下方開口部が、マイク６３のフランジ１００によりカメラ内部と遮蔽され、上部開口は、マイク開口部用防水シート３８で覆われて、このマイク開口部用防水シート３８を介して、中カバーユニット２ｂの中カバー板６４に設けられたマイク開口部９に対峙している。
【００５８】
このような一般的なマイク取り付け部の構成で、マイク６３において、マイク振動板１１５を含む空間１２１は、フランジ１００、及び前カバー枠３６により密閉されて、本来はカメラ内部の空間１１３とは独立した構成となるが、本例では、フランジ１００にはその垂直フランジ１１９の一部に小さな切り欠き１０１が形成されている。これにより、マイク６３は、マイク振動板１１５を含む空間１２１がカメラ内部の空間１１３と一部分でのみ連通するように、上面をマイク開口部用防水シート３８で覆われたマイク用開口部３７に対して取り付けられている。
【００５９】
そして、マイク開口部用防水シート３８が水分不通過性ではあるが空気通過性であることにより、カメラ内部の空間１１３とカメラ外部の空間１１４は、マイク開口部用防水シート３８、マイク振動板１１５を含む空間１２１、及びフランジ１００の切り欠き１０１を介して空気的に連通する。
【００６０】
これにより、ここでも、カメラ内部の空間１１３の空気圧が高まったときには、カメラ内部の空気がフランジ１００の切り欠き１０１、マイク振動板１１５含む空間１２１、及びマイク開口部用防水シート３８を介してカメラ外部の空間１１４に流出し、カメラ内部の空間１１３の空気圧が低下したときには、カメラ外部の空気がマイク開口部用防水シート３８、マイク振動板１１５を含む空間１２１、及びフランジ１００の切り欠き１０１を介してカメラ内部の空間１１３に流入して、常に内外の気圧差が平衡するように維持される。あるいは電池などからカメラ内部に発生したガスを外部に排出することができる。
【００６１】
また、マイク６３は、ガスを発生しやすい電池室５５だけでなく、いずれも動作時に発熱を伴うレンズ部（鏡筒部組立ユニット２０）とストロボ発光用のストロボコンデンサ５６の近傍に配置されるので、上記のような外部との通気により、レンズ部やストロボコンデンサ５６の放熱にも有効である。
【００６２】
以上、本発明によれば、スピーカの放音部やマイクの音声入力部のフランジ部の一部を切り欠いて通気孔を設け、この通気孔と防水シートを介して本体装置の内部と外部を空気的に連通させるので、本体装置に発生する内外圧の差を解消でき、内部の移動機構の動作を円滑に行うことができるようになる。
【００６３】
また、スピーカやマイクのように従来からの複数の構成部分を利用して複数の通気路を設けるので、一箇所に通気用の大きな開口を設ける必要がなく、したがって、本体装置の外観を損なうというおそれがない。
また、同様に従来からの複数の構成部分を利用して複数の通気路を設けるので、外観維持のために通気口を覆う他の部材を配置する必要がなく、したがって、本体装置全体の構成を小型に維持できて使い勝手が良い。
【００６４】
また通気孔を更に余分に設ける場合でも、スピーカやマイクの部分で既に通気孔を設けているので、更に設ける通気孔を小さな目立たない構成とすることができ、この点でも外観を損なうおそれのない本体装置を提供できる。
また、電池室に本体装置の内部空間への通気孔を設け、本体装置の内部空間と外部空間との間に複数の連通孔を設けるので、電池で発生するガスなどを効率的かつ確実に外部に排出することができ、回路の配線が汚染される虞がない。
【００６５】
尚、上述した実施の形態では、デジタルカメラについて説明したが、これに限ることなく、例えばカメラであれば、デジタルカメラ以外にもビデオカメラ、携帯電話に内蔵のカメラ部、情報機器に内蔵のカメラ部等にも適用でき、また、カメラに限ることなく、他の電子機器、例えば、画像再生機でスピーカが有ってレンズ部が無いもの、ＰＤＡ（personal digital assistant）、音声記録装置等にも適用できることは言うまでも無い。
【図面の簡単な説明】
【００６６】
【図１】(a) は第１の実施の形態におけるデジタルカメラを前面から見た外観斜視図、(b) はその背面から見た外観斜視図である。
【図２】デジタルカメラの概略の内部構成を前方から見た分解斜視図である。
【図３】デジタルカメラの一部内部構成を後方から見た分解斜視図である。
【図４】デジタルカメラのスピーカ及びスピーカ取り付け部の構成を示す図である。
【図５】デジタルカメラのマイク及びマイク取り付け部の構成を示す図である。
【符号の説明】
【００６７】
１      デジタルカメラ（カメラ）
２      カメラ主外装部
２ａ  前カバーユニット
２ｂ  中カバーユニット
２ｃ  後カバーユニット
３ａ    コネクタ蓋
３ｂ    電池蓋
４      撮影レンズ鏡筒
５      撮影レンズ
６      レンズバリア
７ａ、７ｂ  スライド溝
８      レリーズスイッチ操作釦
９      マイク開口部
１１    ファインダ接眼窓部
１２    ＬＣＤ表示窓部
１３    十字操作ボタン
１３ａ  位置決め用孔
１４    ズームボタン
１５    液晶モニタ／再生ボタン
１６    ＯＫ／メニューボタン
１７    スピーカ用開口部
１８    ストラップ取付部
２０    鏡筒部組立ユニット
２１    基板中枠ユニット
２２    前カバー板
２３    撮影レンズ用開口部
２４    前面部開口部
２５    ストロボ発光窓
２６    ファインダ窓
２７    セルフタイマＬＥＤ窓
２８    リモートコントロール用窓
２９ａ、２９ｂ  レンズバリア取り付け経路（一点鎖線矢印）
３１    前面部開口用防水シート
３２    前面部開口用防水シート取り付け経路（破線矢印）
３３    ストロボ発光管
３４    ストロボ発光ユニット
３５    ファインダユニット
３６    前カバー枠
３７    マイク用開口部
３８    マイク開口部用防水シート
３９    防水用パッキン
４０    固定枠
４１    移動枠
４２    モータ
４３    レンズ駆動部
４４    ＣＣＤ基板
４５    撮像素子基板
４６    ユニット取り付け板
４７    ＬＣＤ表示ユニット
４８    フレキシブルプリント基板
４９    撮像用基板
５０    中枠
５０ａ  側面開口部縁面
５０ｂ  通気孔
５０ｃ  マイク設置部
５１    第１電装基板
５２    第２電装基板
５３    第３電装基板
５４    電源用電池
５５    電池室
５６    ストロボコンデンサ
５７    内部接続コネクタ
５８    カードスロット
５９    ビデオ出力コネクタ端子部
６１    ＵＳＢコネクタ端子部
６２    マイク保持孔
６３    マイク
６４    中カバー板
６５    レリーズ釦用開口部
６６    マイク用開口部
６７    ＤＣ端子用切り欠き部
６８    ＤＣコネクタ端子
６９    スピーカ用防水シート
７１    後カバー板
７２    後カバー枠
７３    弾性部材
７３ａ、７３ｃ  突起部
７４    ＤＣコネクタ端子用開口部
７５    電池挿入用開口部
７６    ＤＣコネクタ端子用切り欠き部
７７    後カバー板
７７ａ  裏側凸部
７８    ファインダ用開口
７９    ＬＣＤ用開口
８１    十字ボタン用開口
８２    モニタ／再生用開口
８３    ＯＫ／メニュー用開口
８４    切り欠き部
８５    ズーム用開口
８６    支柱
８７    ズームボタン取り付け経路（一点鎖線矢印）
８８    フレキシブル基板
８９    ズーム用スイッチ
９１    十字用スイッチ
９２    モニタ／再生用スイッチ
９３    ＯＫ／メニュー用スイッチ
９４    レリーズスイッチ
９５    切り欠き部
９６    ファインダ横配線部
９７    リード線
９８    端子
９９    板状部材
１００  フランジ
１０１  切り欠き
１０２  スピーカ
１０３  フランジ
１０３ａ  フランジ面
１０４  硬質スペーサ
１０５  両面テープ
１０６  クッション
１０７  切り欠き
１０８  振動板
１０９  スピーカフレーム
１１１  両面粘着シート
１１２  スピーカ振動板を含む空間
１１３  カメラ内部の空間
１１４  カメラ外部の空間
１１５  マイク振動板
１１６  マイク本体
１１７  保護材
１１８  水平フランジ
１１９  垂直フランジ
１２１  マイク振動板を含む空間
【図１】
2005236573.tif 000003
【図２】
2005236573.tif 000004
【図３】
2005236573.tif 000005
【図４】
2005236573.tif 000006
【図５】
2005236573.tif 000007